(57)【特許請求の範囲】
【請求項１】
絶縁操作棒の先端部に設けた一対の開閉する把持腕に基端部側を取り付け、間接活線工事用クリップに設けた一対の把持部を一組の先端部側の間に挟持可能な、一組で構成される間接活線工事用アダプタであって、
前記把持腕から遠心方向に突出する把持爪が挿入可能な凹部を底面に開口した固定片と、
この固定片の側面に取り付け、前記把持爪を固定する固定ねじと、
一対の前記把持爪が最も開角した状態で、一方の前記把持爪が延びる方向に対して、他方の前記把持爪が延びる方向に向かって、前記固定片から傾斜して延びる帯板状の把持片と、を備え、
前記把持片は、端縁が開口されると共に、当該把持片が延びる方向と略平行に穿設されたキー溝状の凹条部を有し、
前記把持部は、前記凹条部にスライド自在に嵌合する平行キー状の凸条部を有し、
一対の前記凹条部が対向するように、一対の前記把持腕に取り付けられる間接活線工事用アダプタ。
【請求項２】
一対の前記把持爪が最も開角した状態で、一組の前記把持片は、一対の前記把持部を挿入可能に対向して配置される請求項１記載の間接活線工事用アダプタ。
【請求項３】
前記把持片は、前記把持部の端縁が当接する停止面を凹条部に形成している請求項１又は２記載の間接活線工事用アダプタ。
【請求項４】
前記把持片は、前記把持部の両側面に対向し、当該把持片の幅方向の移動を規制する一対の規制片を前記凹条部の両翼に形成している請求項１から３のいずれかに記載の間接活線工事用アダプタ。
【請求項５】
前記把持片は、一対の前記把持部を最も閉じた状態で、互いに干渉しない対向面を有する請求項１から４のいずれかに記載の間接活線工事用アダプタ。
【発明の詳細な説明】
【技術分野】
【０００１】
本発明は、間接活線工事用アダプタに関する。特に、絶縁操作棒などの間接活線工具の先端部に設けた一対の開閉する把持腕に取り付け、間接活線工事用クリップを着脱自在に連結する間接活線工事用アダプタの構造に関する。
【背景技術】
【０００２】
間接活線工事用クリップは、絶縁操作棒などの間接活線工具に連結されて操作され、例えば、充電中の高圧配電線に被せた絶縁シートが間接活線工事中に高圧配電線から離脱しないように、把持できる。そして、間接活線工事用クリップは、絶縁シートを高圧配電線に仮固定することができる。
【０００３】
このような間接活線工事用クリップとしては、高圧配電線を挟持可能な一対の開閉部材の挟持面に緩やかに湾曲した大小の凹部を設け、比較的ラフな操作であっても、適用サイズの高圧配電線を大小の凹部のいずれかに把持できる間接活線工事用クリップが開示されている（例えば、特許文献１参照）。
【先行技術文献】
【特許文献】
【０００４】
【特許文献１】特開２００１−２７２０９号公報
【発明の概要】
【発明が解決しようとする課題】
【０００５】
図１１は、特許文献１による間接活線工事用クリップの構成を示す正面図である。本願の図１１は、特許文献１の図１に相当している。図１１を参照すると、特許文献１による間接活線工事用クリップ（以下、クリップと略称する）９は、一対の帯板状の開閉部材９１・９２で構成している。一対の開閉部材９１・９２は、図示しない電線を挟持可能な挟持部９１ａ・９２ａと、後述する絶縁操作棒７０（図５参照）によって把持される把持部９１ｂ・９２ｂに区分している。
【０００６】
図１１を参照すると、クリップ９は、一対の挟持部９１ａ・９２ａの先端部を開閉可能に一対の開閉部材９１・９２を連結する連結部９ｃを有している。更に、クリップ９は、挟持部９１ａ・９２ａの先端部が閉じる方向に力を付勢する捩じりコイルばね９３を備えている。捩じりコイルばね９３の付勢力に抗して、一対の把持部９１ｂ・９２ｂを互いに近づけると、挟持部９１ａ・９２ａの先端部を開くことができる。一対の把持部９１ｂ・９２ｂを解放すると、捩じりコイルばね９３に付勢されて、挟持部９１ａ・９２ａの先端部を閉じることができる。
【０００７】
図１１を参照すると、一対の挟持部９１ａ・９２ａを閉じた状態では、クリップ９は、綾目状の滑り止め加工を表面に施した一対の把持部９１ｂ・９２ｂの外面が略平行に形成されているので、絶縁操作棒７０（図５参照）などを用いて、あらゆる方向からクリップ９を把持できる、としている。
【０００８】
又、図１１を参照すると、クリップ９は、図示しない電線を挟持可能な一対の開閉部材９１・９２の挟持面に緩やかに湾曲した大小の凹部９１１・９１２を設け、比較的ラフな操作であっても、適用サイズの高圧配電線を大小の凹部９１１・９１２のいずれかに把持できる、としている。
【０００９】
図１１を参照して、一対の把持部９１ｂ・９２ｂの外面は、後述する絶縁操作棒７０の先端部に設けた一対の開閉する把持腕７ａ・７ｂで把持できる（図６参照）。図６を参照して、一対の把持腕７ａ・７ｂは、通常、開いている。そして、絶縁操作棒７０の手許部に設けた操作レバー７４を握ることで（図５参照）、一対の把持腕７ａ・７ｂを閉じることができる。図５を参照して、操作レバー７４を解放することで、一対の把持腕７ａ・７ｂを開くことができる。
【００１０】
図１１を参照して、高所に配置された電線をクリップ９で仮固定する場合には、予め、操作レバー７４を握って、一対の把持腕７ａ・７ｂにクリップ９を保持しておく（図５参照）。そして、絶縁操作棒７０を操作して、クリップ９を電線に近づける。次に、操作レバー７４を更に握って、一対の挟持部９１ａ・９１ａを開いて、一対の挟持部９１ａ・９１ａの間に電線を導入する。次に、操作レバー７４を解放することで、一対の挟持部９１ａ・９１ａを閉じて、電線又は電線を覆う絶縁シートを仮固定できる。
【００１１】
このように、従来の間接活線工事用クリップは、絶縁操作棒の操作レバーを握った状態を維持しながら、間接活線工事用クリップを電線に近づける必要があるので、絶縁操作棒の操作性に優れないものとなっている。絶縁操作棒の先端部に設けた一対の開閉する把持腕にアダプタを取り付け、絶縁操作棒の操作レバーを解放した状態で、このアダプタに間接活線工事用クリップを開閉可能に連結できれば、絶縁操作棒の操作性を向上できる。そして、以上のことが本発明の課題といってよい。
【００１２】
本発明は、このような問題に鑑みてなされたものであり、絶縁操作棒の操作レバーを解放した状態で、間接活線工事用クリップを一対の開閉する把持腕に連結できる、操作性に優れた間接活線工事用アダプタを提供することを目的とする。
【課題を解決するための手段】
【００１３】
本発明者は、絶縁操作棒の先端部に設けた一対の把持腕は、通常、開く状態に力が働いていることに着目し、一組の間接活線工事用アダプタを一対の把持腕に取り付け、一対の把持腕が最も開角した状態で、一組の間接活線工事用アダプタの間に間接活線工事用クリップの把持部を挟持できるように、間接活線工事用アダプタの形状を工夫することにより、これらの課題が解決可能なことを見出し、これに基づいて、以下のような新たな間接活線工事用クリップ用アダプタを発明するに至った。
【００１４】
（１）本発明による間接活線工事用アダプタは、絶縁操作棒の先端部に設けた一対の開閉する把持腕に基端部側を取り付け、間接活線工事用クリップに設けた一対の把持部を一組の先端部側の間に挟持可能な、一組で構成される間接活線工事用アダプタであって、前記把持腕から遠心方向に突出する把持爪が挿入可能な凹部を底面に開口した固定片と、この固定片の側面に取り付け、前記把持爪を固定する固定ねじと、一対の前記把持爪が最も開角した状態で、一方の前記把持爪が延びる方向に対して、他方の前記把持爪が延びる方向に向かって、前記固定片から傾斜して延びる帯板状の把持片と、を備え、前記把持片は、端縁が開口されると共に、当該把持片が延びる方向と略平行に穿設されたキー溝状の凹条部を有し、前記把持部は、前記凹条部にスライド自在に嵌合する平行キー状の凸条部を有し、一対の前記凹条部が対向するように、一対の前記把持腕に取り付けられる。
【００１５】
（２）一対の前記把持爪が最も開角した状態で、一組の前記把持片は、一対の前記把持部を挿入可能に対向して配置されることが好ましい。
【００１６】
（３）前記把持片は、前記把持部の端縁が当接する停止面を凹条部に形成していることが好ましい。
【００１７】
（４）前記把持片は、前記把持部の両側面に対向し、当該把持片の幅方向の移動を規制する一対の規制片を前記凹条部の両翼に形成していることが好ましい。
【００１８】
（５）前記把持片は、一対の前記把持部を最も閉じた状態で、互いに干渉しない対向面を有することが好ましい。
【発明の効果】
【００１９】
本発明による間接活線工事用アダプタは、一組の間接活線工事用アダプタを一対の把持腕に取り付け、一対の把持腕が最も開角した状態で、一組の間接活線工事用アダプタの間に間接活線工事用クリップの把持部を挟持でき、操作レバーを解放した状態を維持して、電線にアプローチできるので、操作性に優れている。
【図面の簡単な説明】
【００２０】
【図１】本発明の一実施形態による間接活線工事用アダプタの構成を示す図であり、図１（Ａ）は正面図、図１（Ｂ）は平面図、図１（Ｃ）は右側面図、図１（Ｄ）は左側面図、図１（Ｅ）は下面図、図１（Ｆ）は、図１（Ａ）のＡ矢視図、図１（Ｇ）は、図１（Ｃ）のＢ−Ｂ矢視断面図である。
【図２】前記実施形態による間接活線工事用アダプタに適用される間接活線工事用クリップの構成を示す正面図であり、一対の挟持部が閉じた状態図である。
【図３】前記実施形態による間接活線工事用アダプタに適用される間接活線工事用クリップの構成を示す平面図である。
【図４】前記実施形態による間接活線工事用アダプタに適用される間接活線工事用クリップの構成を示す正面図であり、一対の挟持部が開いた状態図である。
【図５】前記実施形態による間接活線工事用アダプタが取り付けられる絶縁操作棒の正面図であり、図５（Ａ）は、絶縁操作棒の基端部側を示し、図５（Ｂ）は、絶縁操作棒の先端部側を示している。
【図６】前記実施形態による間接活線工事用アダプタが取り付けられる絶縁操作棒の先端部を拡大した正面図である。
【図７】前記実施形態による一組の間接活線工事用アダプタを対向配置した状態図であり、一対の把持腕が最も開角した状態で、一対の把持腕に一組の間接活線工事用アダプタを取り付ける前の状態を示す正面図である。
【図８】前記実施形態による一組の間接活線工事用アダプタを対向配置した状態図であり、図８（Ａ）は、一組の間接活線工事用アダプタで一対の挟持部を把持した状態を示す正面図、図８（Ｂ）は、図８（Ａ）のＡ−Ａ矢視断面図である。
【図９】前記実施形態による一組の間接活線工事用アダプタで一対の挟持部を把持した状態を示す正面図である。
【図１０】図９の状態変化図であり、一対の把持腕を閉じて、一対の挟持部が開いた状態を示す正面図である。
【図１１】従来技術による間接活線工事用クリップの正面図である。
【発明を実施するための形態】
【００２１】
以下、図面を参照して本発明を実施するための形態を説明する。
［間接活線工事用アダプタの構成］
最初に、本発明の一実施形態による間接活線工事用アダプタの構成を説明する。
【００２２】
図１は、本発明の一実施形態による間接活線工事用アダプタの構成を示す図であり、図１（Ａ）は正面図、図１（Ｂ）は平面図、図１（Ｃ）は右側面図、図１（Ｄ）は左側面図、図１（Ｅ）は下面図、図１（Ｆ）は、図１（Ａ）のＡ矢視図、図１（Ｇ）は、図１（Ｃ）のＢ−Ｂ矢視断面図である。
【００２３】
図１を参照すると、本発明の一実施形態による間接活線工事用アダプタ（以下、アダプタと略称する）１０は、アダプタ本体１と固定ねじ１ｓで構成している。アダプタ本体１は、後述する絶縁操作棒７０の先端部に設けた一対の開閉する把持腕７ａ・７ｂに取り付けことができる（図９参照）。又、アダプタ本体１は、後述する間接活線工事用クリップ（以下、クリップと略称する）２０に設けた一対の把持部２１ｂ・２２ｂを一組の先端部側の間に挟持できる（図８参照）。
【００２４】
図１を参照すると、アダプタ本体１は、固定片１１と帯板状の把持片１２で構成している。固定片１１は、凹部１１ｈを底面に開口している。凹部１１ｈには、一対の把持腕７ａ・７ｂから遠心方向に突出する把持爪７１ａ又は把持爪７１ｂを挿入できる（図７参照）。
【００２５】
図１を参照すると、固定ねじ１ｓは、固定片１１の側面に取り付けている。固定ねじ１ｓを一方の方向に回転すると、把持爪７１ａ又は把持爪７１ｂを固定できる（図９参照）。固定ねじ１ｓを他方の方向に回転すると、把持爪７１ａ又は把持爪７１ｂを凹部１１ｈから離脱できる（図７参照）。
【００２６】
図１を参照すると、把持片１２は、固定片１１から傾斜して延びている。把持片１２は、一対の把持爪７１ａ・７１ｂが最も開角した状態で（図６参照）、一方の把持爪７１ａが延びる方向に対して、他方の把持爪７１ｂが延びる方向に向かって、固定片１１から傾斜して延びている（図７参照）。
【００２７】
図１を参照すると、把持片１２は、端縁が開口されると共に、把持片１２が延びる方向と略平行に穿設されたキー溝状の凹条部１２ｋを有している。一方、後述するクリップ２０の把持部２１ｂ・２２ｂは、凹条部１２ｋにスライド自在に嵌合する平行キー状の凸条部２１ｔを有している（図２又は図８（Ｂ）参照）。
【００２８】
一組のアダプタ１０・１０は、一対の凹条部１２ｋ・１２ｋが対向するように、一対の把持腕７ａ・７ｂに取り付けられる（図７参照）。
【００２９】
図１を参照すると、把持片１２は、後述するクリップ２０の把持部２１ｂ・２２ｂの端縁が当接する停止面２１ｓを凹条部１２ｋに形成している（図２参照）。凹条部１２ｋに凸条部２１ｔをスライドして、把持部２１ｂ・２２ｂを挿入すると、停止面２１ｓに把持部２１ｂ・２２ｂの端縁が当接して、把持部２１ｂ・２２ｂの挿入深さが規定される。
【００３０】
図１を参照すると、把持片１２は、クリップ２０の把持部２１ｂ・２２ｂの両側面に対向する一対の規制片１２ｇ・１２ｇを凹条部１２ｋの両翼に形成している（図８（Ｂ）参照）。これにより、把持片１２の幅方向の移動が規制される（図８（Ｂ）参照）。
【００３１】
又、図１を参照すると、一対の把持片１２・１２は、一対の把持部２１ｂ・２２ｂを最も閉じた状態で、互いに干渉しない対向面１２ｔを有している。これにより、一対の把持部２１ｂ・２２ｂを確実に閉じることができる。
【００３２】
（間接活線工事用クリップの構成）
次に、実施形態によるアダプタ１０に適用される間接活線工事用クリップの構成を説明する。図２は、前記実施形態による間接活線工事用アダプタに適用される間接活線工事用クリップの構成を示す正面図であり、一対の挟持部が閉じた状態図である。
【００３３】
図３は、前記実施形態による間接活線工事用アダプタに適用される間接活線工事用クリップの構成を示す平面図である。図４は、前記実施形態による間接活線工事用アダプタに適用される間接活線工事用クリップの構成を示す正面図であり、一対の挟持部が開いた状態図である。
【００３４】
図２から図４を参照すると、実施形態による間接活線工事用クリップ（以下、クリップと略称する）２０は、一対の帯板状の開閉部材２１・２２で構成している。一対の開閉部材２１・２２は、電線Ｗ又は電線を被覆する絶縁シートＳを挟持可能な挟持部２１ａ・２２ａと、一組のアダプタ１０・１０を介して、後述する絶縁操作棒７０（図５参照）によって把持される把持部２１ｂ・２２ｂに区分している。
【００３５】
図２又は図４を参照すると、クリップ２０は、一対の挟持部２１ａ・２２ａの先端部を開閉可能に一対の開閉部材２１・２２を連結する連結部２ｃを有している。更に、クリップ２０は、挟持部２１ａ・２２ａの先端部が閉じる方向に力を付勢する捩じりコイルばね２３を備えている。捩じりコイルばね２３の付勢力に抗して、一対の把持部２１ｂ・２２ｂを互いに近づけると、挟持部２１ａ・２２ａの先端部を開くことができる。一対の把持部２１ｂ・２２ｂを解放すると、捩じりコイルばね２３に付勢されて、挟持部２１ａ・２２ａの先端部を閉じることができる。
【００３６】
図２から図４を参照すると、クリップ２０は、把持片１２に設けた凹条部１２ｋにスライド自在に嵌合する平行キー状の凸条部２１ｔを把持部２１ｂ・２２ｂの外面に有している。一対の把持爪７１ａ・７１ｂが最も開角した状態で、一対の把持爪７１ａ・７１ｂに固定された一対のアダプタ１０・１０の凹条部１２ｋにスライド可能に挿入できる（図８参照）。
【００３７】
又、図２又は図４を参照すると、クリップ２０は、電線Ｗを挟持可能な一対の開閉部材２１・２２の挟持面に緩やかに湾曲した大小の凹部２１１・２１２を設けている。そして、適用サイズの電線Ｗを大小の凹部２１１・２１２のいずれかに把持できる。
【００３８】
（絶縁操作棒の構成）
次に、前記実施形態による間接活線工事用アダプタが取り付けられる絶縁操作棒の構成を説明する。図５は、前記実施形態による間接活線工事用アダプタが取り付けられる絶縁操作棒の正面図であり、図５（Ａ）は、絶縁操作棒の基端部側を示し、図５（Ｂ）は、絶縁操作棒の先端部側を示している。
【００３９】
図６は、前記実施形態による間接活線工事用アダプタが取り付けられる絶縁操作棒の先端部を拡大した正面図である。図７は、前記実施形態による一組の間接活線工事用アダプタを対向配置した状態図であり、一対の把持腕が最も開角した状態で、一対の把持腕に一組の間接活線工事用アダプタを取り付ける前の状態を示す正面図である。
【００４０】
図５又は図６を参照すると、間接活線工具となる絶縁操作棒７０（いわゆる、絶縁ヤットコ）は、長尺の操作棒７１と把持工具７２で構成している。把持工具７２は、操作棒７１の先端部に着脱自在に取り付けられている。又、絶縁操作棒７０は、作動棒７３を備えている。絶縁操作棒７０は、操作棒７１及び作動棒７３の中間部が絶縁性を有するプラスチックパイプなどで連結され、間接活線工法に好適なように、絶縁性が確保されている。
【００４１】
図５又は図６を参照すると、把持工具７２は、開閉する一対の湾曲した把持腕７ａ・７ｂで構成している。そして、一方の把持腕７ａは、基端部が固定された固定腕であり、他方の把持腕７ｂは、一方の把持腕７ａの基端部に設けた回動軸７ｃを中心に回動する可動腕となっている。
【００４２】
図５又は図６を参照すると、作動棒７３は、操作棒７１に沿って保持されている。作動棒７３の先端部は、他方の把持腕７ｂに回動可能に連結している。そして、作動棒７３の手許部に設けた操作レバー７４を操作すると、一方の把持腕７ａに対して、他方の把持腕７ｂを開閉できる。
【００４３】
図６を参照して、操作レバー７４を握って、操作レバー７４を操作棒７１に近づけると、一方の把持腕７ａに対して、他方の把持腕７ｂを閉じることができる。操作レバー７４を解放すると、操作レバー７４に連結したばね（図示せず）の力で、一方の把持腕７ａに対して、他方の把持腕７ｂを開くことができる。図６又は図７は、一方の把持腕７ａに対して、他方の把持腕７ｂが最大に開いた状態を示している。
【００４４】
図６又は図７を参照して、一方の把持腕７ａは、先細り状の把持爪７１ａを突出している。把持爪７１ａは、把持面７０ａを形成している。把持面７０ａは、操作棒７１の軸中心と略平行に配置されている。同様に、他方の把持腕７ｂは、先細り状の把持爪７１ｂを突出している。把持爪７１ｂは、把持面７０ｂを形成している。把持面７０ｂは、把持面７０ａと所定の開角を設けて配置されている。図５から図７を参照して、操作レバー７４を握ると、把持面７０ｂを把持面７０ａに近づけることができる。
【００４５】
［間接活線工事用アダプタの作用］
次に、実施形態によるアダプタ１０の構成を補足すると共に、アダプタ１０の操作方法を説明しながら、アダプタ１０の作用及び効果を説明する。図８は、前記実施形態による一組の間接活線工事用アダプタを対向配置した状態図であり、図８（Ａ）は、一組の間接活線工事用アダプタで一対の挟持部を把持した状態を示す正面図、図８（Ｂ）は、図８（Ａ）のＡ−Ａ矢視断面図である。
【００４６】
図９は、前記実施形態による一組の間接活線工事用アダプタで一対の挟持部を把持した状態を示す正面図である。図１０は、図９の状態変化図であり、一対の把持腕を閉じて、一対の挟持部が開いた状態を示す正面図である。
【００４７】
図７及び図８を参照すると、アダプタ１０は、把持爪７１ａ又は把持爪７１ｂを凹部１１ｈに挿入し、固定ねじ１ｓで固定できる。一組のアダプタ１０・１０は、一対の凹条部１２ｋ・１２ｋが対向するように、一対の把持腕７ａ・７ｂに取り付けられている（図９参照）。
【００４８】
次に、図６又は図７を参照して、操作レバー７４を解放すると（図５参照）、一方の把持腕７ａに対して、他方の把持腕７ｂを最大に開角できる。そして、凹条部１２ｋに凸条部２１ｔをスライドして、一対の把持部２１ｂ・２２ｂを一対の凹条部１２ｋ・１２ｋに挿入することができる（図８又は図９参照）。図８又は図９に示した状態では、一対の把持爪７１ａ・７１ｂが最も開角した状態で、一組の把持片１２・１２は、一対の把持部２１ｂ・２２ｂを挿入可能に対向して配置されている。
【００４９】
図８（Ｂ）を参照すると、把持片１２は、クリップ２０の把持部２１ｂ・２２ｂの両側面に対向する一対の規制片１２ｇ・１２ｇを凹条部１２ｋの両翼に形成している。これにより、把持片１２の幅方向の移動が規制されている。
【００５０】
次に、図９に示した状態を維持して、クリップ２０を電線Ｗに向かって移動できる。図９に示した状態では、操作レバー７４が解放されているので（図５参照）、絶縁操作棒７０が容易である。
【００５１】
図９に示された状態から、操作レバー７４を握ると（図５参照）、一対の挟持部２１ａ・２２ａを開くことができる（図１０参照）。そして、操作レバー７４を解放すると（図５参照）、一対の挟持部２１ａ・２２ａを閉じることができ、クリップ２０で電線Ｗを挟持できる（図４参照）。
【００５２】
このように、実施形態によるアダプタ１０は、一組のアダプタ１０・１０を一対の把持腕７ａ・７ｂに取り付け、一対の把持腕７ａ・７ｂが最も開角した状態で、一組のアダプタ１０・１０の間にクリップ２０の把持部２１ｂ・２２ｂを挟持でき、操作レバー７４を解放した状態を維持して、電線Ｗにアプローチできるので、操作性に優れている。
【００５３】
本発明による間接活線工事用アダプタは、次のような効果が奏される。
（１）絶縁操作棒の先端部に設けた一対の開閉する把持腕に容易に間接活線工事用クリップを取り付けできる。
（２）操作レバーを解放した状態で、間接活線工事用クリップを移動できる。
【００５４】
本発明は、絶縁操作棒などを用いて、無停電状態の高圧配電線を間接的に活線工事できる間接活線工事用アダプタを開示したが、本発明のアダプタは、間接活線工事用に限定されることなく、他の分野でも応用されることが期待される。
【符号の説明】
【００５５】
１ｓ  固定ねじ
７ａ・７ｂ  一対の把持腕
１０  アダプタ（間接活線工事用アダプタ
１１  固定片
１１ｈ  凹部
１２  把持片
１２ｋ  凹条部
２０  クリップ（間接活線工事用クリップ）
２１ｂ・２２ｂ  一対の把持部
２１ｔ  凸条部
７０  絶縁操作棒
７１ａ・７１ｂ  一対の把持爪
【要約】
【課題】操作性に優れた間接活線工事用アダプタを提供する。
【解決手段】アダプタ１０は、一組で構成され、固定片１１、把持片１２、及び固定ねじ１ｓを有する。固定片１１・１１は、絶縁操作棒７０の先端部に設けた一対の把持腕７ａ・７ｂに取り付けことができる。把持片１２・１２は、クリップ２０に設けた一対の把持部２１ｂ・２２ｂを挟持できる。一組のアダプタ１０・１０を一対の把持腕７ａ・７ｂに取り付け、一対の把持腕７ａ・７ｂが最も開角した状態で、一組のアダプタ１０・１０の間にクリップ２０の把持部２１ｂ・２２ｂを挟持でき、操作レバー７４を解放した状態を維持して、電線Ｗにアプローチできるので、操作性に優れている。
【選択図】図９【図１】
0005465772.tif 000002
【図２】
0005465772.tif 000003
【図３】
0005465772.tif 000004
【図４】
0005465772.tif 000005
【図５】
0005465772.tif 000006
【図６】
0005465772.tif 000007
【図７】
0005465772.tif 000008
【図８】
0005465772.tif 000009
【図９】
0005465772.tif 000010
【図１０】
0005465772.tif 000011
【図１１】
0005465772.tif 000012